(57)【要約】【課題】簡単な構成により、粘着テープによるフラップの貼付け作業を容易に行うことができる梱包箱を提供することを目的とする。【解決手段】一方の天フラップ１１の天縁には、凸形状を有する突起２４が外方に突出して設けられるとともに、他方の天フラップ１０の天縁には、凹形状を有する切欠２５が設けられている。天フラップ１０、１１を折り曲げた後、突起２４と切欠２５を一旦係合させると、一対の天フラップ１０、１１が互いに係止された状態になるため、折曲させた天フラップ１０、１１は斜行した状態にならず、又、上方に浮き上がることもなくなる。よって、天フラップ１０、１１間にずれや隙間が生じることがなくなるため、粘着テープによる貼付け作業を極めて容易に行うことができる。【選択図】  図４
2005231721.tif 000002
【特許請求の範囲】
【請求項１】
予め定めた形状に切断したシート材により形成されるとともに、折り目を介して１方向に連設された４つの側板と、前記４つの側板のうち、相対向する一対の側板の上方にそれぞれ連設された一対の天フラップとを備え、前記一対の天フラップを折り曲げて天面を封止する梱包箱において、
前記一対の天フラップのうち、一方の天フラップに突起が設けられるとともに、他方の天フラップに切欠が設けられ、前記一対の天フラップを折り曲げて前記天面を封止する際に、前記突起と前記切欠が係合されることにより、前記一対の天フラップが係止されることを特徴とする梱包箱。
【請求項２】
予め定めた形状に切断したシート材により形成されるとともに、折り目を介して１方向に連設された４つの側板と、前記４つの側板のうち、相対向する一対の側板の下方にそれぞれ連設された一対の底フラップとを備え、前記一対の底フラップを折り曲げて底面を封止する梱包箱において、
前記一対の底フラップのうち、一方の底フラップに突起が設けられるとともに、他方の底フラップに切欠が設けられ、前記一対の底フラップを折り曲げて底面を封止する際に、前記突起と前記切欠が係合されることにより、前記一対の底フラップが係止されることを特徴とする梱包箱。
【請求項３】
請求項１または請求項２に記載の梱包箱において、前記突起と前記切欠の各々が、複数設けられることを特徴とする梱包箱。
【請求項４】
請求項１または請求項２に記載の梱包箱において、前記突起が凸形状を有するとともに、前記切欠が凹形状を有することを特徴とする梱包箱。
【請求項５】
請求項１または請求項２に記載の梱包箱において、前記突起と前記切欠の各々が、略Ｖ字形状を有することを特徴とする梱包箱。
【請求項６】
予め定めた形状に切断したシート材により形成されるとともに、折り目を介して１方向に連設された４つの側板と、前記４つの側板のうち、相対向する一対の側板の上方にそれぞれ連設された一対の天フラップと、前記一対の側板の下方にそれぞれ連設された一対の底フラップとを備え、前記一対の天フラップと前記一対の底フラップを各々折り曲げて天面、及び底面を封止する梱包箱において、
前記一対の天フラップのうち、一方の天フラップに第１の突起が設けられるとともに、他方の天フラップに第１の切欠が設けられ、かつ、前記一対の底フラップのうち、一方の底フラップに第２の突起が設けられるとともに、他方の底フラップに第２の切欠が設けられ、前記一対の天フラップを折り曲げて前記天面を封止する際に、前記第１の突起と前記第１の切欠が係合されることにより、前記一対の天フラップが係止されるとともに、前記一対の底フラップを折り曲げて底面を封止する際に、前記第２の突起と前記第２の切欠が係合されることにより、前記一対の底フラップが係止されることを特徴とする梱包箱。
【請求項７】
前記第１、第２突起と前記第１、第２の切欠が、それぞれ複数設けられることを特徴とする請求項６に記載の梱包箱。
【請求項８】
前記第１、第２の突起の各々が凸形状を有するとともに、前記第１、第２の切欠の各々が凹形状を有することを特徴とする請求項６または請求項７に記載の梱包箱。
【請求項９】
前記第１、第２の突起と前記第１、第２の切欠が、それぞれ略Ｖ字形状を有することを特徴とする請求項６または請求項７に記載の梱包箱。
【請求項１０】
予め定めた形状に切断したシート材により形成されるとともに、折り目を介して１方向に連設された４つの側板と、前記４つの側板のうち、相対向する一対の側板の上方にそれぞれ連設された一対の天フラップとを備え、前記一対の天フラップを折り曲げて天面を封止する梱包箱において、
前記一対の天フラップのうち、一方の天フラップに第１の突起が設けられるとともに、他方の天フラップに第２の突起が設けられ、前記一対の天フラップを折り曲げて前記天面を封止する際に、前記第１の突起と前記第２の突起が係合されることにより、前記一対の天フラップが係止されることを特徴とする梱包箱。
【請求項１１】
予め定めた形状に切断したシート材により形成されるとともに、折り目を介して１方向に連設された４つの側板と、前記４つの側板のうち、相対向する一対の側板の下方にそれぞれ連設された一対の底フラップとを備え、前記一対の底フラップを折り曲げて底面を封止する梱包箱において、
前記一対の底フラップのうち、一方の底フラップに第１の突起が設けられるとともに、他方の底フラップに第２の突起が設けられ、前記一対の底フラップを折り曲げて底面を封止する際に、前記第１の突起と前記第２の突起が係合されることにより、前記一対の底フラップが係止されることを特徴とする梱包箱。
【請求項１２】
請求項１０または請求項１１に記載の梱包箱において、前記第１、第２の突起の各々が、凸形状を有することを特徴とする梱包箱。
【請求項１３】
予め定めた形状に切断したシート材により形成されるとともに、折り目を介して１方向に連設された４つの側板と、前記４つの側板のうち、相対向する一対の側板の上方にそれぞれ連設された一対の天フラップと、前記一対の側板の下方にそれぞれ連設された一対の底フラップとを備え、前記一対の天フラップと前記一対の底フラップを各々折り曲げて天面、及び底面を封止する梱包箱において、
前記一対の天フラップのうち、一方の天フラップに第１の突起が設けられるとともに、他方の天フラップに第２の突起が設けられ、かつ、前記一対の底フラップのうち、一方の底フラップに第３の突起が設けられるとともに、他方の底フラップに第４の突起が設けられ、前記一対の天フラップを折り曲げて前記天面を封止する際に、前記第１の突起と前記第２の突起が係合されることにより、前記一対の天フラップが係止されるとともに、前記一対の底フラップを折り曲げて底面を封止する際に、前記第３の突起と前記第４の突起が係合されることにより、前記一対の底フラップが係止されることを特徴とする梱包箱。
【請求項１４】
前記第１乃至第４の突起の各々が、凸形状を有することを特徴とする請求項１３に記載の梱包箱。
【請求項１５】
請求項１、請求項２、請求項６、請求項１０、請求項１１、請求項１３のいずれかに記載の梱包箱において、前記シート材が、平板と波板を交互に積層させたダンボール材であることを特徴とする梱包箱。
【発明の詳細な説明】
【技術分野】
【０００１】
本発明は、被梱包物品、例えば、電子機器や電子部品等の物品を梱包する際に、被梱包物品を収納するための梱包箱に関する。
【背景技術】
【０００２】
一般に、電子機器や電子部品等を出荷する場合、組立てが容易なダンボール製の梱包箱が多用されている。この梱包箱は、例えば、中央に底板を設け、その底板の四辺に、４枚の側板を連設するとともに、左右の側板に内側板を、上下の側板に天フラップと折込みフラップを付設してなる略直方体形状の箱であり、組立ての際には、４枚の側板を起立させるとともに、折込みフラップを、起立させた左右の側板と内側板との間に挟持させ、組立てた箱の内部に、電子機器等の物品を収容し、最後に、天フラップを内側に折曲させて、粘着テープによって当該天フラップの上面を貼着し封止する作業が一般的に行われている（例えば、特許文献１参照）。
【特許文献１】実公平６−１３０６６号公報
【発明の開示】
【発明が解決しようとする課題】
【０００３】
しかし、図１３に示す様に、上記従来の梱包箱Ｋ'においては、天フラップ５０、５１に粘着テープを貼着する際に、起立させた４枚の側板５２〜５５の弾性力により、当該４枚の側板５２〜５５が折曲させる前の状態に戻ろうとする（即ち、折り目を介して、梱包箱Ｋ'自らの復元力により反発して、組立前の折り畳まれた状態に戻ろうとする）ため、天フラップ５０、５１が斜行した状態になるとともに、当該天フラップ５０、５１間にずれや隙間が生じ、粘着テープによる貼付け作業が困難になるという問題があった。特に、内側に折曲させた天フラップ５０、５１は、封止する際に、その弾性力により上方に浮き上がり、外側に広がり易いため、天フラップ５０、５１間にずれ等が生じ易く、粘着テープによる貼付け作業が困難になる。又、上述の天フラップ５０、５１間に生じたずれや隙間を修正するための位置決め作業が必要となるため、組立てが煩雑になるとともに、作業効率が低下するという問題もあった。これらの問題は、底板の代わりに底フラップを付設し、当該底フラップを封止する場合にも、同様に生じるものである。
【０００４】
本発明は上記課題に鑑みてなされたものであり、簡単な構成により、粘着テープによるフラップの貼付け作業を容易に行うことができる梱包箱に関する。
【課題を解決するための手段】
【０００５】
上記目的を達成するために、本発明は、予め定めた形状に切断したシート材により形成されるとともに、折り目を介して１方向に連設された４つの側板と、４つの側板のうち、相対向する一対の側板の上方にそれぞれ連設された一対の天フラップとを備え、一対の天フラップを折り曲げて天面を封止する梱包箱において、一対の天フラップのうち、一方の天フラップに突起が設けられるとともに、他方の天フラップに切欠が設けられ、一対の天フラップを折り曲げて天面を封止する際に、突起と切欠が係合されることにより、一対の天フラップが係止されることを特徴とする。
【０００６】
又、本発明は、予め定めた形状に切断したシート材により形成されるとともに、折り目を介して１方向に連設された４つの側板と、４つの側板のうち、相対向する一対の側板の下方にそれぞれ連設された一対の底フラップとを備え、一対の底フラップを折り曲げて底面を封止する梱包箱において、一対の底フラップのうち、一方の底フラップに突起が設けられるとともに、他方の底フラップに切欠が設けられ、一対の底フラップを折り曲げて底面を封止する際に、突起と切欠が係合されることにより、一対の底フラップが係止されることを特徴とする。
【０００７】
ここで、本発明においては、突起と切欠の各々が、複数設けられるものとすることができる。
【０００８】
更に、本発明においては、突起が凸形状を有するとともに、切欠が凹形状を有するものとすることができ、突起と切欠の各々が、略Ｖ字形状を有するものとすることもできる。
【０００９】
又、本発明は、予め定めた形状に切断したシート材により形成されるとともに、折り目を介して１方向に連設された４つの側板と、４つの側板のうち、相対向する一対の側板の上方にそれぞれ連設された一対の天フラップと、一対の側板の下方にそれぞれ連設された一対の底フラップとを備え、一対の天フラップと一対の底フラップを各々折り曲げて天面、及び底面を封止する梱包箱において、一対の天フラップのうち、一方の天フラップに第１の突起が設けられるとともに、他方の天フラップに第１の切欠が設けられ、かつ、一対の底フラップのうち、一方の底フラップに第２の突起が設けられるとともに、他方の底フラップに第２の切欠が設けられ、一対の天フラップを折り曲げて天面を封止する際に、第１の突起と第１の切欠が係合されることにより、一対の天フラップが係止されるとともに、一対の底フラップを折り曲げて底面を封止する際に、第２の突起と第２の切欠が係合されることにより、一対の底フラップが係止されることを特徴とする。
【００１０】
ここで、本発明においては、第１、第２の突起と第１、第２の切欠が、それぞれ複数設けられるものとすることができる。
【００１１】
更に、第１、第２の突起の各々が凸形状を有するとともに、第１、第２の切欠の各々が凹形状を有するものとすることができ、第１、第２の突起と第１、第２の切欠が、それぞれ略Ｖ字形状を有するものとすることもできる。
【００１２】
又、本発明は、予め定めた形状に切断したシート材により形成されるとともに、折り目を介して１方向に連設された４つの側板と、４つの側板のうち、相対向する一対の側板の上方にそれぞれ連設された一対の天フラップとを備え、一対の天フラップを折り曲げて天面を封止する梱包箱において、一対の天フラップのうち、一方の天フラップに第１の突起が設けられるとともに、他方の天フラップに第２の突起が設けられ、一対の天フラップを折り曲げて天面を封止する際に、第１の突起と第２の突起が係合されることにより、一対の天フラップが係止されることを特徴とする。
【００１３】
又、本発明は、予め定めた形状に切断したシート材により形成されるとともに、折り目を介して１方向に連設された４つの側板と、４つの側板のうち、相対向する一対の側板の下方にそれぞれ連設された一対の底フラップとを備え、一対の底フラップを折り曲げて底面を封止する梱包箱において、一対の底フラップのうち、一方の底フラップに第１の突起が設けられるとともに、他方の底フラップに第２の突起が設けられ、一対の底フラップを折り曲げて底面を封止する際に、第１の突起と第２の突起が係合されることにより、一対の底フラップが係止されることを特徴とする。
【００１４】
ここで、本発明においては、第１、第２の突起の各々が、凸形状を有するものとすることができる。
【００１５】
又、本発明は、予め定めた形状に切断したシート材により形成されるとともに、折り目を介して１方向に連設された４つの側板と、４つの側板のうち、相対向する一対の側板の上方にそれぞれ連設された一対の天フラップと、一対の側板の下方にそれぞれ連設された一対の底フラップとを備え、一対の天フラップと一対の底フラップを各々折り曲げて天面、及び底面を封止する梱包箱において、一対の天フラップのうち、一方の天フラップに第１の突起が設けられるとともに、他方の天フラップに第２の突起が設けられ、かつ、一対の底フラップのうち、一方の底フラップに第３の突起が設けられるとともに、他方の底フラップに第４の突起が設けられ、一対の天フラップを折り曲げて天面を封止する際に、第１の突起と第２の突起が係合されることにより、一対の天フラップが係止されるとともに、一対の底フラップを折り曲げて底面を封止する際に、第３の突起と第４の突起が係合されることにより、一対の底フラップが係止されることを特徴とする。
【００１６】
ここで、本発明においては、第１乃至第４の突起の各々が、凸形状を有するものとすることができる。
【００１７】
又、本発明においては、シート材が、平板と波板を交互に積層させたダンボール材であるものとすることができる。
【発明の効果】
【００１８】
本発明の梱包箱によれば、一対の天フラップのうち、一方の天フラップに突起が設けられるとともに、他方の天フラップに切欠が設けられ、一対の天フラップを折り曲げて前記天面を封止する際に、突起と切欠が係合されることにより、一対の天フラップが係止される構成としているため、折曲させた天フラップは斜行した状態にならず、又、上方に浮き上がることもなくなる。従って、一対の天フラップを内側に折曲させて、粘着テープにより天フラップを貼着し封止する際に、天フラップ間にずれや隙間が生じることがなくなるため、簡単な構成で、粘着テープによる貼付け作業を極めて容易に行うことが可能になる。
【００１９】
又、天フラップ間に生じたずれや隙間を修正するための位置決め作業が不要となるため、例えば、比較的大型の梱包箱を一人で組立てる必要がある場合であっても、梱包箱の組立てを容易に行うことができる様になるとともに、作業効率を向上させることが可能になる。
【００２０】
又、本発明の梱包箱によれば、一対の底フラップのうち、一方の底フラップに突起が設けられるとともに、他方の底フラップに切欠が設けられ、一対の底フラップを折り曲げて底面を封止する際に、突起と切欠が係合されることにより、一対の底フラップが係止される構成としているため、折曲させた底フラップは斜行した状態にならず、又、貼り付け作業の際に、上方に浮き上がることもなくなる。従って、一対の底フラップを内側に折曲させて、粘着テープにより底フラップを貼着し封止する際に、底フラップ間にずれや隙間が生じることがなくなるため、簡単な構成で、粘着テープによる貼付け作業を極めて容易に行うことが可能になる。
【００２１】
又、底フラップ間に生じたずれや隙間を修正するための位置決め作業が不要となるため、例えば、比較的大型の梱包箱を一人で組立てる必要がある場合であっても、梱包箱の組立てを容易に行うことができる様になるとともに、作業効率を向上させることが可能になる。
【００２２】
又、粘着テープを梱包箱の外表面に確実に貼り付けることが可能になり、結果として、重量のある電子機器等を梱包箱の内部に収容した場合であっても、梱包箱の底抜けを防止できる様になる。
【００２３】
更に、突起と切欠の各々が、複数設けられる構成としているため、折曲させた天フラップ及び底フラップの斜行や浮き上がりを、更に効果的に防止することが可能になる。
【００２４】
又、本発明の梱包箱によれば、一対の天フラップのうち、一方の天フラップに第１の突起が設けられるとともに、他方の天フラップに第１の切欠が設けられ、かつ、一対の底フラップのうち、一方の底フラップに第２の突起が設けられるとともに、他方の底フラップに第２の切欠が設けられ、一対の天フラップを折り曲げて天面を封止する際に、第１の突起と第１の切欠が係合されることにより、一対の天フラップが係止されるとともに、一対の底フラップを折り曲げて底面を封止する際に、第２の突起と第２の切欠が係合されることにより、一対の底フラップが係止される構成としているため、折曲させた天フラップ、及び底フラップは斜行した状態にならず、又、上方に浮き上がることもなくなる。従って、一対の天フラップ、及び一対の底フラップを内側に折曲させて、粘着テープにより天フラップ、及び底フラップを貼着し封止する際に、天フラップ間、及び底フラップ間にずれや隙間が生じることがなくなるため、簡単な構成で、粘着テープによる貼付け作業を極めて容易に行うことが可能になる。
【００２５】
又、天フラップ間、及び底フラップ間に生じたずれや隙間を修正するための位置決め作業が不要となるため、例えば、比較的大型の梱包箱を一人で組立てる必要がある場合であっても、梱包箱の組立てを容易に行うことができる様になるとともに、作業効率を向上させることが可能になる。
【００２６】
又、粘着テープを梱包箱の外表面に確実に貼り付けることが可能になり、結果として、重量のある電子機器等を梱包箱の内部に収容した場合であっても、梱包箱の底抜けを防止できる様になる。
【００２７】
更に、第１、第２の突起部と第１、第２の切欠が、それぞれ複数設けられる構成としているため、折曲させた天フラップ、及び底フラップの斜行や浮き上がりを、更に効果的に防止することが可能になる。
【００２８】
又、本発明の梱包箱によれば、一対の天フラップを折り曲げて天面を封止する梱包箱において、一対の天フラップのうち、一方の天フラップに第１の突起が設けられるとともに、他方の天フラップに第２の突起が設けられ、一対の天フラップを折り曲げて天面を封止する際に、第１の突起と第２の突起が係合されることにより、一対の天フラップが係止される構成としているため、折曲させた天フラップは斜行した状態にならず、又、上方に浮き上がることもなくなる。従って、一対の天フラップを内側に折曲させて、粘着テープにより天フラップを貼着し封止する際に、天フラップ間にずれや隙間が生じることがなくなるため、簡単な構成で、粘着テープによる貼付け作業を極めて容易に行うことが可能になる。
【００２９】
又、天フラップ間に生じたずれや隙間を修正するための位置決め作業が不要となるため、例えば、比較的大型の梱包箱を一人で組立てる必要がある場合であっても、梱包箱の組立てを容易に行うことができる様になるとともに、作業効率を向上させることが可能になる。
【００３０】
又、本発明の梱包箱によれば、一対の底フラップを折り曲げて底面を封止する梱包箱において、一対の底フラップのうち、一方の底フラップに第１の突起を設けられるとともに、他方の底フラップに第２の突起が設けられ、一対の底フラップを折り曲げて底面を封止する際に、第１の突起と第２の突起が係合されることにより、一対の底フラップが係止される構成としているため、折曲させた底フラップは斜行した状態にならず、又、貼り付け作業の際に、上方に浮き上がることもなくなる。従って、一対の底フラップを内側に折曲させて、粘着テープにより底フラップを貼着し封止する際に、底フラップ間にずれや隙間が生じることがなくなるため、簡単な構成で、粘着テープによる貼付け作業を極めて容易に行うことが可能になる。
【００３１】
又、底フラップ間に生じたずれや隙間を修正するための位置決め作業が不要となるため、例えば、比較的大型の梱包箱を一人で組立てる必要がある場合であっても、梱包箱の組立てを容易に行うことができる様になるとともに、作業効率を向上させることが可能になる。
【００３２】
又、粘着テープを梱包箱の外表面に確実に貼り付けることが可能になり、結果として、重量のある電子機器等を梱包箱の内部に収容した場合であっても、梱包箱の底抜けを防止できる様になる。
【００３３】
又、本発明の梱包箱によれば、一対の天フラップのうち、一方の天フラップに第１の突起が設けられるとともに、他方の天フラップに第２の突起が設けられ、かつ、一対の底フラップのうち、一方の底フラップに第３の突起が設けられるとともに、他方の底フラップに第４の突起が設けられ、一対の天フラップを折り曲げて天面を封止する際に、第１の突起と第２の突起が係合されることにより、一対の天フラップが係止されるとともに、一対の底フラップを折り曲げて底面を封止する際に、第３の突起と第４の突起が係合されることにより、一対の底フラップが係止される構成としているため、折曲させた天フラップ、及び底フラップは斜行した状態にならず、又、上方に浮き上がることもなくなる。従って、一対の天フラップ、及び一対の底フラップを内側に折曲させて、粘着テープにより天フラップ、及び底フラップを貼着し封止する際に、天フラップ間、及び底フラップ間にずれや隙間が生じることがなくなるため、簡単な構成で、粘着テープによる貼付け作業を極めて容易に行うことが可能になる。
【００３４】
又、天フラップ間、及び底フラップ間に生じたずれや隙間を修正するための位置決め作業が不要となるため、例えば、比較的大型の梱包箱を一人で組立てる必要がある場合であっても、梱包箱の組立てを容易に行うことができる様になるとともに、作業効率を向上させることが可能になる。
【００３５】
又、粘着テープを梱包箱の外表面に確実に貼り付けることが可能になり、結果として、重量のある電子機器等を梱包箱の内部に収容した場合であっても、梱包箱の底抜けを防止できる様になる。
【００３６】
又、梱包材を形成する、予め定めた形状に切断したシート材が、平板と波板を交互に積層させたダンボール材により構成されているため、突起、及び切欠の厚みが増すとともに、突起と切欠を係合させやすくなる。従って、貼着テープにより、一対の天フラップ及び一対の底フラップを貼り合わせる作業が容易になる。
【発明を実施するための最良の形態】
【００３７】
以下に、本発明を適用した梱包箱の実施例について図面を参照しながら説明する。
【実施例１】
【００３８】
図１は、本発明の実施例１に係る梱包箱の展開図である。梱包箱Ｋは、図１に示す様に、予め定めた形状に切断したシート材、即ち、略長方形をなす１つのダンボールシートにより形成されており、当該梱包箱Ｋは、組立時に、２組の相対向する各側面のうち長さ方向の面を構成する一対の側板１、２と、幅方向の面を構成する一対の側板３、４を備えており、これら４つの側板１〜４は、折り目５〜７を介し一方向に連設されている。
【００３９】
相対向する一対の側板１、２の各々には、その上方に、折り目８、９を介して一対の天フラップ１０、１１が連設されるとともに、その下方に、折り目１２、１３を介して、一対の底フラップ１４、１５が連設されている。又、相対向する一対の側板３、４の各々には、その上方に、折り目１６、１７を介して天側の折込みフラップ１８、１９が連設されるとともに、その下方に、折り目２０、２１を介して、底側の折込みフラップ２２、２３が連設されている。
【００４０】
一対の天フラップ１０、１１のうち、一方の天フラップ１１の天縁には、凸形状を有する突起２４が外方に突出して設けられるとともに、他方の天フラップ１０の天縁には、凹形状を有する切欠２５が設けられている。又、同様に、一対の底フラップ１４、１５のうち、一方の底フラップ１４の底縁には、凸形状を有する突起２６が外方に突出して設けられるとともに、他方の底フラップ１５の底縁には、凹形状を有する切欠２７が設けられている。又、側板１の左端側には、折り目２８を介して、貼付片２９が外方に突出して設けられている。尚、本実施形態においては、図１に示す折り目５〜９、１２、１３、１６、１７、２０、２１、及び２８は山折りに折曲させるものとする。
【００４１】
図２は、図１に示した梱包箱の構造を示す図である。梱包箱Ｋは、図２に示すダンボール材により形成したものであり、平板３５〜３７と、連続する山谷の波状に曲げた波板３８、３９により構成され、当該平板３５〜３７と波板３８、３９を交互に複数（本実施例においては、２層）積層し、平板３５〜３７と波板３８、３９の山谷４０とを接着剤で接合することにより、平板３５〜３７の間に波板３８、３９により複数の細管４１が形成されるように構成したものである。尚、本実施例においては、平板３５、３６間の幅Ｗ１は、平板３６、３７間の幅Ｗ２より大きくなる様に形成されており、又、ダンボール材の長さ方向Ｌにおいて、波板３８により形成される細管４１の数が、波板３９により形成される細管４１の数よりも少なくなる様に構成されている。尚、梱包箱Ｋの材料としてダンボール材に代え、板紙や厚紙を用いる構成としても良い。
【００４２】
梱包箱Ｋを組立てる際には、まず、折り目６、２８を折り曲げて、側板１に設けられた貼付片２９を側板４に貼着し、扁平に折り畳んだ状態にする。次いで、折り目５〜７を直角に折り曲げて、４枚の側板１〜４を角筒状に起立させ、図３に示した状態にする。次いで、折り目１６、１７を介して、天側の折込みフラップ１８、１９を内側に折り曲げるとともに、天フラップ１０、１１が折込みフラップ１８、１９の外側にくるように、折り目８、９を介して、天フラップ１０、１１を内側に折り曲げ、折込みフラップ１８、１９と天フラップ１０、１１を重ね合わせる。
【００４３】
ここで、本実施例においては、上述のごとく、一方の天フラップ１１の天縁に突起２４を外方に突出して設けるとともに、他方の天フラップ１０の天縁に切欠２５を設ける構成としているため、折り目８、９を介して、天フラップ１０、１１を内側に折り曲げて天面を封止する際に、切欠２５に突起２４を挿入することにより、突起２４と切欠２５を係合させることが可能になる。
【００４４】
即ち、天フラップ１０、１１を折り曲げて天面を封止する際に、起立させた４枚の側板１〜４の弾性力により、当該４枚の側板１〜４が折曲させる前の状態に戻ろうとするため、切欠２５に突起２４を挿入すると、当該梱包箱Ｋの復元力により、突起２４と切欠２５が係合した状態となる。その結果、図４に示す様に、一対の天フラップ１０、１１が互いに係止された状態になり、一旦、一対の天フラップ１０、１１が互いに係止されると、梱包箱Ｋの復元力により、４枚の側板１〜４が折曲させる前の状態に戻ろうとしても、折曲させた天フラップ１０、１１は斜行した状態にならず、又、上方に浮き上がることもなくなる。
【００４５】
従って、天フラップ１０、１１を内側に折曲させて、粘着テープにより当該天フラップ１０、１１を貼着し封止する際に、天フラップ１０、１１間にずれや隙間が生じることがなくなるため、簡単な構成で、粘着テープによる貼付け作業を極めて容易に行うことが可能になる（図４参照）。
【００４６】
又、天フラップ１０、１１間に生じたずれや隙間を修正するための位置決め作業が不要となるため、例えば、比較的大型の梱包箱Ｋを一人で組立てる必要がある場合であっても、梱包箱Ｋの組立てを容易に行うことができる様になるとともに、作業効率を向上させることが可能になる。
【００４７】
尚、図４において図示していないが、一対の底フラップ１４、１５についても、上述の天フラップ１０、１１と同様にテープ貼りを行うことができる。即ち、一方の底フラップ１４の底縁に突起２６を外方に突出して設けるとともに、他方の底フラップ１５の底縁に切欠２７を設ける構成としているため、折り目２０、２１を介して、底側の折込みフラップ２２、２３を内側に折り曲げるとともに、底フラップ１４、１５が折込みフラップ２２、２３の外側にくるように、折り目１２、１３を介して、底フラップ１４、１５を内側に折り曲げて底面を封止する際に、切欠２７に突起２６を挿入することにより、上述の梱包箱Ｋの復元力によって、突起２６と切欠２７が係合した状態となる。その結果、一対の底フラップ１４、１５が互いに係止された状態になり、一旦、一対の底フラップ１４、１５が互いに係止されると、梱包箱Ｋの復元力により、４枚の側板１〜４が折曲させる前の状態に戻ろうとしても、折曲させた底フラップ１４、１５は斜行した状態にならず、又、貼り付け作業の際に、上方に浮き上がることもなくなる。
【００４８】
従って、上述の一対の天フラップ１０、１１を粘着テープにより貼着し、封止する場合と全く同様の効果が得られるとともに、底フラップ１４、１５間にずれや隙間が生じることなく、粘着テープによる貼付けを行うことができるため、粘着テープを梱包箱Ｋの外表面に確実に貼り付けることが可能になり、結果として、重量のある電子機器等を梱包箱Ｋの内部に収容した場合であっても、梱包箱Ｋの底抜けを防止できる様になる。
【００４９】
又、上述のごとく、複数の平板３５〜３７と、複数の波板３８、３９により構成され、当該平板３５〜３７と波板３８、３９を交互に複数積層させたダンボール材により梱包箱Ｋを形成する構成としているため、突起２４、２６、及び切欠２５、２７の厚みが増し、突起２４と切欠２５、及び突起２６と切欠２７を係合させやすくなるため、貼着テープにより、一対の天フラップ１０、１１、及び一対の底フラップ１４、１５を貼り合わせる作業が容易になる。
【実施例２】
【００５０】
次に、本発明の実施例２について説明する。図５は、本発明の実施例２に係る梱包箱の展開図であり、図６〜図１０は、本発明の実施例２に係る梱包箱の組立工程を説明するための外観斜視図である。本実施例においては、図５に示す様に、図１において説明した突起２４、２６、及び切欠２５、２７の代わりに、一対の天フラップ１０、１１の各々の天縁に、凸形状を有する突起４２、４３を外方に突出して設けるとともに、一対の底フラップ１４、１５の各々の底縁に、凸形状を有する突起４４、４５を外方に突出して設けた点のみが異なり、他の構成は全く同じである。従って、上記実施例１と同様の構成部分については同一の符号を付してその説明を省略する。又、本実施例に係る梱包箱の構造も、上述の実施例１と同様の構造であるため、ここでは、詳しい説明を省略する。
【００５１】
梱包箱Ｋを組立てる際には、まず、折り目６、２８を折り曲げて、側板１に設けられた貼付片２９を側板４に貼着し、図６に示す扁平に折り畳んだ状態にする。次いで、折り目５〜７を直角に折り曲げて、４枚の側板１〜４を角筒状に起立させ、図７に示した状態にする。次いで、図８に示す様に、折り目１６、１７を介して、天側の折込みフラップ１８、１９を内側に折り曲げるとともに、天フラップ１０、１１が折込みフラップ１８、１９の外側にくるように、折り目８、９を介して、天フラップ１０、１１を内側に折り曲げ、折込みフラップ１８、１９と天フラップ１０、１１を重ね合わせる。
【００５２】
ここで、本実施例においては、上述のごとく、一対の天フラップ１０、１１のうち、一方の天フラップ１０の天縁に突起４２を外方に突出して設けるとともに、他方の天フラップ１１の天縁に突起４３を外方に突出して設ける構成としているため、折り目８、９を介して、天フラップ１０、１１を内側に折り曲げて天面を封止する際に、突起４２と突起４３を係合させることが可能になる。
【００５３】
即ち、折り目５〜７を直角に折り曲げて、４枚の側板１〜４を角筒状に起立させた状態で、天フラップ１０、１１を折り曲げて天面を封止する際に、突起４２、４３を、長さ方向の面を構成する一対の側板１、２の長手方向において、同一直線上に位置させる（図９参照）と、起立させた４枚の側板１〜４の弾性力により、当該４枚の側板１〜４が折曲させる前の状態に戻ろうとするため、当該梱包箱Ｋの復元力により、突起４２、４３が係合した状態となる。その結果、図９に示す様に、一対の天フラップ１０、１１が互いに係止された状態になり、一旦、一対の天フラップ１０、１１が互いに係止されると、梱包箱Ｋの復元力により、４枚の側板１〜４が折曲させる前の状態に戻ろうとしても、折曲させた天フラップ１０、１１は斜行した状態にならず、又、上方に浮き上がることもなくなる。
【００５４】
従って、天フラップ１０、１１を内側に折曲させて、粘着テープにより当該天フラップ１０、１１を貼着し封止する際に、天フラップ１０、１１間にずれや隙間が生じることがなくなるため、簡単な構成で、粘着テープによる貼付け作業を極めて容易に行うことが可能になり（図１０参照）、上述の実施例１と全く同様の効果が得られることになる。
【００５５】
尚、図１０において図示していないが、上記実施例１と同様に、一対の底フラップ１４、１５についても、上述の天フラップ１０、１１と同様にテープ貼りを行うことができる。即ち、一対の底フラップ１４、１５のうち、一方の底フラップ１４の底縁に突起４４を外方に突出して設けるとともに、他方の底フラップ１５の底縁に突起４５を外方に突出して設ける構成としているため、折り目２０、２１を介して、底側の折込みフラップ２２、２３を内側に折り曲げるとともに、底フラップ１４、１５が折込みフラップ２２、２３の外側にくるように、折り目１２、１３を介して、底フラップ１４、１５を内側に折り曲げて底面を封止する際に、突起４４、４５を、一対の側板１、２の長手方向において、同一直線上に位置させると、上述の梱包箱Ｋの復元力によって、突起４４、４５が係合した状態となる。その結果、一対の底フラップ１４、１５が互いに係止された状態になり、一旦、一対の底フラップ１４、１５が互いに係止されると、梱包箱Ｋの復元力により、４枚の側板１〜４が折曲させる前の状態に戻ろうとしても、折曲させた底フラップ１４、１５は斜行した状態にならず、又、貼り付け作業の際に、上方に浮き上がることもなくなる。
【００５６】
従って、上述の一対の天フラップ１０、１１を粘着テープにより貼着し、封止する場合と全く同様の効果が得られるとともに、底フラップ１４、１５間にずれや隙間が生じることなく、粘着テープによる貼付けを行うことができるため、粘着テープを梱包箱Ｋの外表面に確実に貼り付けることが可能になり、結果として、重量のある電子機器等を梱包箱Ｋの内部に収容した場合であっても、梱包箱Ｋの底抜けを防止できる様になる。
【００５７】
又、上述のごとく、本実施例においても、平板３５〜３７と波板３８、３９を交互に複数積層させたダンボール材により梱包箱Ｋを形成する構成としているため、突起４２〜４５の厚みが増し、突起４２と突起４３、及び突起４４と突起４５を各々係合させやすくなるため、貼着テープにより、一対の天フラップ１０、１１、及び一対の底フラップ１４、１５を貼り合わせる作業が容易になる。
【００５８】
尚、上記実施例は、単なる説明例であり、本発明の範囲は、上記実施例に限定されるものではなく、本発明の趣旨に基づいて各構成物品の形状、寸法、材料等を変更することが可能であり、それらを本発明の範囲から除外するものではない。
【００５９】
例えば、上記実施例１においては、天フラップ１１、底フラップ１４に、凸形状を有する突起２４、２６をそれぞれ設けるとともに、天フラップ１０、底フラップ１５に、凹形状を有する切欠２５、２７をそれぞれ設ける構成としたが、当該突起２４、２６、及び切欠２５、２７の形状を、略Ｖ字形状、略Ｗ字形状、略波形状、略のこ歯形状、略台形状等にする構成としても良い。又、突起２４、２６、及び切欠２５、２７を各々複数設ける構成としても良い。
【００６０】
例えば、図１１に示す様に、図１において説明した突起２４、２６、及び切欠２５、２７の代わりに、一対の天フラップ１０、１１のうち、一方の天フラップ１１の天縁に、略Ｖ字形状を有する突起４６を外方に突出させて２つ設けるとともに、他方の天フラップ１０の天縁に、略Ｖ字形状を有する切欠４７を２つ設け、かつ、一対の底フラップ１４、１５のうち、一方の底フラップ１４の底縁に、略Ｖ字形状を有する突起４８を外方に突出して２つ設けるとともに、他方の底フラップ１５の底縁に、略Ｖ字形状を有する切欠４９を２つ設ける構成とすることができる。
【００６１】
この場合も、上記実施例１と同様に、天フラップ１０、１１を折り曲げた後、突起４６と切欠４７を係合させるとともに、底フラップ１４、１５を折り曲げた後、突起４８と切欠４９を係合させると、一対の天フラップ１０、１１、及び一対の底フラップ１４、１５が互いに係止された状態になり、起立させた４枚の側板１〜４の弾性力により、当該４枚の側板１〜４が折曲させる前の状態に戻ろうとしても、折曲させた天フラップ１０、１１、及び底フラップ１４、１５は斜行した状態にならず、又、上方に浮き上がることもなくなるため、上述の実施例１と全く同様の効果を得ることが可能になる。又、一対の天フラップ１０、１１に対して複数の突起４６、及び切欠４７を設けるとともに、一対の底フラップ１４、１５に対して複数の突起４８、及び切欠４９を設ける構成としているため、折曲させた天フラップ１０、１１、及び底フラップ１４、１５の斜行や浮き上がりを、更に効果的に防止することが可能になる。図１２に、一対の天フラップ１０、１１を粘着テープにより貼着し、封止した状態を示す。
【産業上の利用可能性】
【００６２】
本発明の活用例としては、被梱包物品、例えば、電子機器や電子部品等の物品を梱包する際に、被梱包物品を収納するための梱包箱が挙げられる。
【図面の簡単な説明】
【００６３】
【図１】本発明の実施例１に係る梱包箱の展開図である。
【図２】図１に示した梱包箱の構造を示す図である。
【図３】本発明の実施例１に係る梱包箱の組立工程を説明するための斜視図であり、特に、４枚の側板を角筒状に起立させた状態を説明するための図である。
【図４】本発明の実施例１に係る梱包箱の組立工程を説明するための斜視図であり、特に、天フラップを貼着し封止した状態を説明するための図である。
【図５】本発明の実施例２に係る梱包箱の展開図である。
【図６】本発明の実施例２に係る梱包箱の組立工程を説明するための斜視図であり、特に、梱包箱を扁平に折り畳んだ状態を示す図である。
【図７】本発明の実施例２に係る梱包箱の組立工程を説明するための斜視図であり、特に、４枚の側板を角筒状に起立させた状態を説明するための図である。
【図８】本発明の実施例２に係る梱包箱の組立工程を説明するための斜視図であり、特に、天フラップを途中まで折り曲げた状態を説明するための図である。
【図９】本発明の実施例２に係る梱包箱の組立工程を説明するための斜視図であり、特に、天フラップが互いに係止された状態を説明するための図である。
【図１０】本発明の実施例２に係る梱包箱の組立工程を説明するための斜視図であり、特に、天フラップを貼着し封止した状態を説明するための図である。
【図１１】本発明の実施例１に係る梱包箱の変形例における組立工程を説明するための斜視図であり、特に、４枚の側板を角筒状に起立させた状態を説明するための図である。
【図１２】本発明の実施例１に係る梱包箱の変形例における組立工程を説明するための斜視図であり、特に、天フラップを貼着し封止した状態を説明するための図である。
【図１３】従来の梱包箱の組立工程を説明するための斜視図であり、特に、天フラップを折り曲げた状態を説明するための図である。
【符号の説明】
【００６４】
１〜４      側板
１０、１１      天フラップ
１４、１５      底フラップ
２４、２６      凸状突起
２５、２７      凹状切欠
４２〜４５      凸状突起
４６、４８      略Ｖ字状突起
４７、４９      略Ｖ字状切欠
【図１】
2005231721.tif 000003
【図２】
2005231721.tif 000004
【図３】
2005231721.tif 000005
【図４】
2005231721.tif 000006
【図５】
2005231721.tif 000007
【図６】
2005231721.tif 000008
【図７】
2005231721.tif 000009
【図８】
2005231721.tif 000010
【図９】
2005231721.tif 000011
【図１０】
2005231721.tif 000012
【図１１】
2005231721.tif 000013
【図１２】
2005231721.tif 000014
【図１３】
2005231721.tif 000015